(57)【特許請求の範囲】
【請求項１】
公衆移動通信網の移動交換局(ＭＳＣ）、移動局（ＭＳ）と無線通信を行う基地局(ＢＴＳ)及び私設移動通信網の私設交換機(ＰＢＸ)に連結し、前記移動局（ＭＳ）と前記移動交換局（ＭＳＣ）との間の呼処理又は前記移動局と前記私設交換機（ＰＢＸ）との間の呼処理を行うサービスシステムを備えた装置であって、
前記サービスシステムは、
このサービスシステムと前記移動交換局（ＭＳＣ）及び私設交換機（ＰＢＸ）との間のインタープロセッサ通信(ＩＰＣ)を提供する内部スイッチと、
該内部スイッチと前記移動交換局（ＭＳＣ）の間に位置して該移動交換局（ＭＳＣ）に対するインターフェースを提供し、公衆移動通信網を使用する前記移動局（ＭＳ）の全ての呼を処理する公衆用トランスコーダ／移動交換局（ＭＳＣ）リンクインターフェースと、
前記内部スイッチと前記私設交換機（ＰＢＸ）の間に位置して該私設交換機（ＰＢＸ）に対するインターフェースを提供し、私設移動通信網を使用する前記移動局の全ての呼を処理するローカル用トランスコーダ／移動交換局（ＭＳＣ）リンクインターフェースと、
前記基地局（ＢＴＳ）と連結した基地局（ＢＴＳ）リンクインターフェースと、
移動局（ＭＳ）からの及び移動局（ＭＳ）への全ての呼を処理する制御部とを備えることを特徴とするサービスシステムを備えた装置。
【請求項２】
ＬＡＮケーブルによって前記サービスシステムと前記私設交換機（ＰＢＸ）が連結し、Ｔ１又はＥ１接続によって前記サービスシステムと前記移動交換局（ＭＳＣ）が連結していることを特徴とする請求項１に記載の装置。
【請求項３】
前記サービスシステムは、前記公衆移動通信網及び前記私設移動通信網を使用する前記移動局からの又は前記移動局への公衆データ呼を、公衆データサービス網（ＰＤＳＮ）に接続し、又は、私設データ呼をイントラネットに接続することを特徴とする請求項１に記載の装置。
【請求項４】
前記制御部は、
前記移動局（ＭＳ）の全ての呼をルーティング処理するメッセージルーチングモジュールと、
前記移動局（ＭＳ）の全ての公衆呼を処理する公衆呼処理モジュールと、
前記移動局（ＭＳ）の全ての私設呼を処理する私設呼処理モジュールと、
前記私設移動通信網加入者情報を管理する私設ホーム位置登録機(ＨＬＲ)モジュールと、
前記私設ホーム位置登録機(ＨＬＲ)と連結して前記私設交換機（ＰＢＸ）との連動を提供する私設移動交換局（ＭＳＣ）モジュールとを備えることを特徴とする請求項１に記載の装置。
【請求項５】
前記サービスシステムは、
前記内部スイッチと前記公衆データサービス網（ＰＤＳＮ）との間に位置して該公衆データサービス網（ＰＤＳＮ）に対するインターフェースを提供し、前記移動局（ＭＳ）の全ての公衆データ呼を処理する公衆用無線パケットインターフェースと、
前記内部スイッチと前記イントラネットとの間に位置して該イントラネットに対するインターフェースを提供し、前記移動局（ＭＳ）の全ての私設データ呼を処理する私設用無線パケットインターフェースとを備えることを特徴とする請求項３に記載の装置。
【請求項６】
公衆移動通信網を利用する音声及びデータ呼と私設移動通信網を利用する音声及びデータ呼を含む無線移動局（ＭＳ）の全ての呼を処理する基地局制御装置（ＢＳＣ）であって、
前記移動局（ＭＳ）と前記公衆移動通信網及び私設移動通信網間にＩＰＣを提供する内部スイッチと、
該内部スイッチと前記公衆移動通信網の移動交換局（ＭＳＣ）との間に位置して前記公衆移動通信網を利用する前記移動局（ＭＳ）の音声呼を処理する公衆用トランスコーダ／移動交換局（ＭＳＣ）リンクインターフェースと、
前記内部スイッチと前記私設交換機（ＰＢＸ）との間に位置して前記私設移動通信網を利用する前記移動局（ＭＳ）の音声呼を処理するローカル用トランスコーダ／移動交換局（ＭＳＣ）リンクインターフェースと、
前記移動局（ＭＳ）と無線通信を行う基地局（ＢＴＳ）と連結した基地局（ＢＴＳ）リンクインターフェースと、
前記移動局（ＭＳ）の全ての呼を処理する制御部とを備えることを特徴とする基地局制御装置。
【請求項７】
前記制御部は、
前記公衆移動通信網を利用する前記移動局（ＭＳ）の全ての呼を処理する公衆呼処理モジュールと、
前記私設移動通信網を利用する前記移動局（ＭＳ）の全ての呼を処理する私設呼処理モジュールと、
私設移動通信網の加入者情報を管理する私設ホーム位置登録機(ＨＬＲ)モジュールと、
前記私設ＨＬＲと連結して前記私設交換機（ＰＢＸ）との連動を提供する私設移動交換局（ＭＳＣ）モジュールと、
前記移動局（ＭＳ）の全ての呼に対するルーティング処理を行うメッセージルーチングモジュールとを備えることを特徴とする請求項６に記載の基地局制御装置。
【請求項８】
前記内部スイッチと公衆移動通信網の一部である公衆データサービス網（ＰＤＳＮ）との間に位置して該公衆移動通信網を利用する前記移動局（ＭＳ）のデータ呼を処理する公衆用無線パケットインターフェースと、
前記内部スイッチと私設移動通信網の一部であるイントラネットとの間に位置して該私設移動通信網を利用する前記移動局（ＭＳ）のデータ呼を処理するローカル用無線パケットインターフェースとをさらに備えることを特徴とする請求項６に記載の基地局制御装置。
【請求項９】
前記イントラネットは、前記移動局（ＭＳ）が前記私設移動通信網を通じてインターネットにアクセスできるようにインターネットと連結していることを特徴とする請求項８に記載の基地局制御装置。
【請求項１０】
前記私設交換機（ＰＢＸ）は、前記移動局（ＭＳ）が前記私設移動通信網を通じて公衆電話交換網（ＰＳＴＮ）にアクセスできるように該公衆電話交換網（ＰＳＴＮ）と連結していることを特徴とする請求項６に記載の基地局制御装置。
【請求項１１】
前記私設用トランスコーダ／移動交換局（ＭＳＣ）リンクインターフェースは、ＬＡＮ接続によって前記私設交換機（ＰＢＸ）と連結していることを特徴とする請求項６に記載の基地局制御装置。
【請求項１２】
公衆用トランスコーダ／移動交換局（ＭＳＣ）リンクインターフェースは、Ｅ１接続及びＴ１接続よりなる群から選択されたいずれかの接続によって前記移動交換局（ＭＳＣ）と連結していることを特徴とする請求項６に記載の基地局制御装置。
【発明の詳細な説明】
【０００１】
【発明の属する技術分野】
本発明は、移動通信サービスに関し、特に、公衆移動通信網(ＰＬＭＮ：Public Land Mobile Network)と有無線私設交換網(wired/wireless private switched network)とが連動(interworking)する移動通信サービス網に関する。
【０００２】
【従来の技術】
通常、ＰＬＭＮと私設有無線網は相互連動が不可能であるため、それぞれの網加入者はＰＬＭＮと私設無線網のうち自分の登録された網を通じなければ移動通信サービスを受けることができなかった。そこで、一つの移動通信端末、つまり移動局(ＭＳ：Mobile Station)がＰＬＭＮと私設無線網を通じた移動通信サービスを共に受けられるようにＰＬＭＮと有無線私設交換網とを連動したサービスシステムが開発された。そのシステムの一例として、２００１年２月５日付の大韓民国特許公開番号第２００１−９９３２号に開示された“移動通信網と私設交換網との間の内線端末機着信呼処理方法”、２００１年３月５日付の大韓民国特許公開番号第２００１−１６８３５号に開示された“移動通信網と私設無線網との間の移動端末機着信呼処理方法”が挙げられる。
【０００３】
図１は、通常のＰＬＭＮと有無線私設交換網との連動サービス網を示す構成図である。図１では、有無線私設交換網１００はＰＬＭＮ１０２と連動するとともに公衆電話交換網(ＰＳＴＮ：Public Switched Telephone Network)１０４、ＩＰ(Internet Protocol)網１０６と連結している。ＰＬＭＮ１０２は、多数の移動交換局(ＭＳＣ：Mobile Switching Center)１１８〜１３２、ＭＳＣ１１８と連結した多数の基地局制御装置(ＢＳＣ：Base Station Controller)１２２〜１２４及びＢＳＣ１２２と連結した多数の基地局(ＢＴＳ：Base Transceiver Station)１２６〜１２８を含み、ＭＳ１３０に移動通信サービスを提供する。また、ＭＳＣ１１８はホーム位置登録機／訪問者位置登録機(ＨＬＲ／ＶＬＲ：Home Location Register / Visitor Location Register)１２０と連結している。図１では便宜上、ＭＳＣ１１８にのみＨＬＲ／ＶＬＲ１２０及び多数のＢＳＣ１２２〜１２４が連結し、ＢＳＣ１２２にのみ多数のＢＴＳ１２６〜１２８が連結しているが、ＢＳＣ１２４は他のＢＴＳと連結することもでき、ＭＳＣ１３２も他のＨＬＲ／ＶＬＲやＢＳＣに連結することができる。なお、ＭＳＣ１１８〜１３２はＰＳＴＮ１０４、ＩＷＦ(InterWorking Function)を通じてＩＰ網１０６などに連結できるが、図１では図示していない。
【０００４】
このようなＰＬＭＮ１０２と連動する有無線私設交換網１００は、私設交換機(ＰＢＸ：Private Branch Exchange)１１２及び私設基地局制御装置(ｐＢＳＣ：Private BSC)１１０の機能を提供するシステム１０８、このシステム１０８に連結した私設基地局(ｐＢＴＳ：Private BTS)１１４、を備え、有無線私設交換網１００とＰＬＭＮ１０２に加入したＭＳ１１６に移動通信サービスを提供する。また、有無線私設交換網１００はＰＢＸ１１２を通じてＰＳＴＮ１０４に連結し、ｐＢＳＣ１１０を通じてＩＰ網１０６と連結している。このシステム１０８とｐＢＴＳ１１４は、例えば、三星電子株式会社(韓国)が製造および販売している“InfoMobile−3G”システムがある。
【０００５】
ＭＳＣ１１８とＢＳＣ１２２〜１２４の間では標準プロトコルを使用して通信するのに対し、ＢＳＣ１２４とｐＢＳＣ１１０の間では、ＢＳＣ１２２とＢＴＳ１２６〜１２８の間での通信と同様にＩＰＣ(Interprocess Communication)を使用して通信する。一方、ｐＢＳＣ１１０とＰＳＴＮ１０４はＴ１やＥ１接続、ＰＲＩ、ＳＳ７などに従うプロトコルによって連結され、ｐＢＳＣ１１０とＩＰ網１０６はＴＣＰ／ＩＰ(Transmission Control Protocol/Internet Protocol)、ＶｏＩＰ(Voice over Internet Protocol)などによって連結される。
【０００６】
ｐＢＳＣ１１０は、ＰＢＸ１１２及びＰＬＭＮ１０２のＢＳＣ１２４と連動し、ＭＳ１１６に対する無線呼をルーチング(routing)処理する。一方、無線呼が公衆網呼の場合はＢＳＣ１２４を通じてルーチングし、私設網呼の場合はｐＢＴＳ１１４を通じてサービスを行う。
【０００７】
【発明が解決しようとする課題】
前述したようにｐＢＳＣは、標準プロトコルを使用しないＢＳＣとＢＴＳ間に位置することによって上位のＢＳＣとＢＴＳからなるＢＳＳ(Base Station Subsystem)システムに従属するので、他のＰＬＭＮと独立して連動することができない。また、ｐＢＳＣは、公衆網呼に対してはＢＳＣを通じて上位公衆網にルーチング処理し、私設網呼についてはｐＢＴＳを通じてサービスを行う。このため類似する二つのサービスにより、上位システムのＰＬＭＮ１０２と下位システムの私設無線網で重複するハードウェア、つまりＢＳＣとｐＢＳＣとがそれぞれ必要となるといった問題点がある。また、ＢＳＭ(Base Station Manager)とＢＳＣにおいて下位私設無線網の存在が認識されていない状態で網管理が行われるため、共有しているＢＴＳ管理に問題が生じる。
【０００８】
以上のことから、私設網とＰＬＭＮとの連動を提供する装置を備え、また、公衆及び私設ＢＳＣをそれぞれ別途に設けることなく余分な構成要素を排除して、移動局と移動端末に対し公衆及び私設移動通信サービスを共に提供できるシステムが求められている。
【０００９】
したがって、本発明の目的は、上位システムに従属することなくいずれのＰＬＭＮにも連動できるＰＬＭＮ及び私設無線網統合サービス網とそのシステムを提供することにある。
【００１０】
また、本発明の他の目的は、ＰＬＭＮのＢＳＣと私設無線通信網のｐＢＳＣ(private BSC)を別個に構成する必要のないＰＬＭＮ及び私設無線網統合サービス網とそのシステムを提供することにある。
【００１１】
さらに、本発明の他の目的は、データ呼及びボイス（音声）呼に対する公衆及び私設無線網サービスを効率よく移動局と移動端末に提供することにある。
【００１２】
【課題を解決するための手段】
このような目的を達成するために本発明では、移動局及び移動端末が公衆及び私設移動通信サービスのいずれにもアクセスできるよう公衆及び私設移動通信システムにインターフェースを提供するＢＳＣを提案する。ここでは、移動局及び移動端末は公衆網及び私設網を使用した音声呼及びデータ呼を送受信できるようにＢＴＳと無線通信を通じて連結している。さらに、ＢＳＣとＭＳＣは公衆音声呼を処理し、ＢＳＣとＰＢＸは私設音声呼を処理し、ＢＳＣとＰＤＳＮは公衆データ呼を処理し、ＢＳＣとイントラネットは私設データ呼を処理するようにそれぞれが連動する。したがって、ＢＳＣはインターフェース回路を備えてＭＳＣ、ＰＤＳＮ、ＰＢＸ及びイントラネットとそれぞれ連結している。
【００１３】
そのＢＳＣは、Ｔ１接続又はＥ１接続によって公衆ＭＳＣと連結する一方、ＬＡＮ接続によって私設ＰＢＸにも連結して音声呼を処理する二つのトランスコーダ／ＭＳＣリンクインターフェースボードと、公衆ＰＤＳＮと連結する一方、私設イントラネットにも連結してデータ呼を処理する二つの無線パケットインターフェースボードと、ＢＴＳと連結するＢＴＳリンクインターフェースボードと、制御ボード、ＢＴＳリンクインターフェースボード、二つのトランスコーダ／ＭＳＣリンクインターフェースボード、二つの無線パケットインターフェースボードの全てと連結するＢＳＣ内の内部スイッチと、を備える。ＢＳＣ内の制御ボードは、公衆呼処理モジュール、私設呼処理モジュール、メッセージルーチングモジュール、私設ＨＬＲ及び私設ＭＳＣモジュールをを備えている。このような構成によってＢＳＣは、公衆網発信呼(又は、ＭＳ２１０から発信される公衆呼)、私設網発信呼(又は、ＭＳ２１０から発信される私設呼)、私設網着信呼(又は、私設網を通じてＭＳ２１０で処理される私設呼)及び公衆網着信呼(又は、公衆網を通じてＭＳ２１０で処理される公衆呼)を処理できるようになる。全ての呼は音声呼とデータ呼である。ＢＳＣはこれら８種類の呼に応じて公衆ＭＳＣ、公衆ＰＤＳＮ、私設ＰＢＸ及びイントラネットのいずれかと連動するようになる。
【００１４】
また、本発明では公衆移動通信網の移動交換局(ＭＳＣ）、基地局(ＢＴＳ)及び私設移動通信網の私設交換機(ＰＢＸ)と連結し、基地局（ＢＴＳ）との無線通信を通じて移動局（ＭＳ）を公衆移動通信網又は私設移動通信網に接続すると共に、呼が公衆移動通信網を使用するものであるか又は私設移動通信網を使用するものであるかによってその呼を移動局と移動交換局（ＭＳＣ）との間に、又は、移動局と私設交換機（ＰＢＸ）との間に伝達するサービスシステムを備えたことを特徴とする装置を提供する。
【００１５】
この装置では、ＬＡＮケーブルによってサービスシステムと私設交換機（ＰＢＸ）が連結し、Ｔ１又はＥ１接続によってサービスシステムと移動交換局（ＭＳＣ）が連結していると好ましい。
【００１６】
サービスシステムは、公衆移動通信網及び私設移動通信網を使用する移動局からの又は移動局への公衆データ呼を公衆移動通信網の一部である公衆データサービス網（ＰＤＳＮ）に接続し、又は、私設データ呼を私設移動通信網の一部であるイントラネットに接続するようにするとよく、サービスシステムと移動交換局（ＭＳＣ）、私設交換機（ＰＢＸ）、公衆データサービス網（ＰＤＳＮ）及びイントラネットとの間のインタープロセッサ通信(ＩＰＣ)を提供する内部スイッチと、内部スイッチと移動交換局（ＭＳＣ）の間に位置して移動交換局（ＭＳＣ）に対するインターフェースを提供し、公衆移動通信網を使用する移動局（ＭＳ）の全ての音声呼を処理する公衆用トランスコーダ／移動交換局（ＭＳＣ）リンクインターフェースと、内部スイッチと私設交換機（ＰＢＸ）の間に位置して私設交換機（ＰＢＸ）に対するインターフェースを提供し、私設移動通信網を使用する移動局の全ての音声呼を処理するローカル用トランスコーダ／移動交換局（ＭＳＣ）リンクインターフェースと、基地局（ＢＴＳ）と連結した基地局（ＢＴＳ）リンクインターフェースと、移動局（ＭＳ）からの及び移動局（ＭＳ）への全ての呼を処理する制御部と、を備えるようにすると好ましい。
【００１７】
この場合、制御部は、移動局（ＭＳ）の全ての呼をルーチング処理するメッセージルーチングモジュールと、移動局（ＭＳ）の全ての公衆呼を処理する公衆呼処理モジュールと、移動局（ＭＳ）の全ての私設呼を処理する私設呼処理モジュールと、私設移動通信網加入者情報を管理する私設ホーム位置登録機(ＨＬＲ)モジュールと、私設ホーム位置登録機(ＨＬＲ)と連結して私設交換機（ＰＢＸ）との連動を提供する私設移動交換局（ＭＳＣ）モジュールと、を備えるとよい。
【００１８】
本装置におけるサービスシステムは、内部スイッチと公衆データサービス網（ＰＤＳＮ）との間に位置して公衆データサービス網（ＰＤＳＮ）に対するインターフェースを提供し、移動局（ＭＳ）の全ての公衆データ呼を処理する公衆用無線パケットインターフェースと、内部スイッチとイントラネットとの間に位置してイントラネットに対するインターフェースを提供し、移動局（ＭＳ）の全ての私設データ呼を処理する私設用無線パケットインターフェースと、さらにを備えるようにすると好ましい。
【００１９】
さらに、本発明では、公衆移動通信網を利用する音声及びデータ呼と私設移動通信網を利用する音声及びデータ呼を含む無線移動局（ＭＳ）の全ての呼を処理する基地局制御装置（ＢＳＣ）において、移動局（ＭＳ）と公衆及び私設移動通信網間にＩＰＣ(Inter-processor communications)を提供する内部スイッチと、内部スイッチと公衆移動通信網の移動交換局（ＭＳＣ）との間に位置して公衆移動通信網を利用する移動局（ＭＳ）の音声呼を処理する公衆用トランスコーダ／移動交換局（ＭＳＣ）リンクインターフェースと、内部スイッチと私設交換機（ＰＢＸ）との間に位置して私設移動通信網を利用する移動局（ＭＳ）の音声呼を処理するローカル用トランスコーダ／移動交換局（ＭＳＣ）リンクインターフェースと、移動局（ＭＳ）と無線通信を行う基地局（ＢＴＳ）と連結した基地局（ＢＴＳ）リンクインターフェースと、移動局（ＭＳ）の全ての呼を処理する制御部と、を備えることを特徴とする基地局制御装置を提供する。
【００２０】
この基地局制御装置の制御部は、公衆移動通信網を利用する移動局（ＭＳ）の全ての呼を処理する公衆呼処理モジュールと、私設移動通信網を利用する移動局（ＭＳ）の全ての呼を処理する私設呼処理モジュールと、私設移動通信網加入者情報を管理する私設ホーム位置登録機(ＨＬＲ)モジュールと、私設ＨＬＲと連結して私設交換機（ＰＢＸ）との連動を提供する私設移動交換局（ＭＳＣ）モジュールと、移動局（ＭＳ）の全ての呼に対するルーチング処理を行うメッセージルーチングモジュールと、を備えるとよい。また、内部スイッチと公衆移動通信網の一部である公衆データサービス網（ＰＤＳＮ）との間に位置して公衆移動通信網を利用する移動局（ＭＳ）のデータ呼を処理する公衆用無線パケットインターフェースと、内部スイッチと私設移動通信網の一部であるイントラネットとの間に位置して私設移動通信網を利用する移動局（ＭＳ）のデータ呼を処理するローカル用無線パケットインターフェースと、をさらに備えるようにしてもよい。ここで、イントラネットは、移動局（ＭＳ）が私設移動通信網を通じてインターネットにアクセスできるようにインターネットと連結している。私設交換機（ＰＢＸ）は、移動局（ＭＳ）が私設移動通信網を通じて公衆電話交換網（ＰＳＴＮ）にアクセスできるように公衆電話交換網（ＰＳＴＮ）と連結している。
【００２１】
私設用トランスコーダ／移動交換局（ＭＳＣ）リンクインターフェースはＬＡＮ接続によって私設交換機（ＰＢＸ）と連結しており、公衆用トランスコーダ／移動交換局（ＭＳＣ）リンクインターフェースはＥ１接続及びＴ１接続よりなる群から選択されたいずれかの接続によって移動交換局（ＭＳＣ）と連結していると好ましい。
【００２２】
さらにまた、本発明では、移動局（ＭＳ）と、移動局（ＭＳ）と無線通信をする基地局（ＢＴＳ）と、基地局（ＢＴＳ）、私設移動通信網及び公衆移動通信網と連結し、移動局（ＭＳ）が公衆及び私設移動通信網にアクセスできるようにする基地局制御装置（ＢＳＣ）と、から構成されることを特徴とする移動通信網をも提供する。
【００２３】
この移動通信網は、基地局制御装置（ＢＳＣ）と連結し、公衆移動通信網に含まれる移動交換局（ＭＳＣ）によってさらに構成されてもよく、基地局制御装置（ＢＳＣ）と連結し、私設移動通信網に含まれる私設交換機（ＰＢＸ）によってさらに構成されてもよい。その基地局制御装置（ＢＳＣ）は移動通信網のＢＳＣであると好ましい。また、移動交換局（ＭＳＣ）は、Ｅ１接続及びＴ１接続よりなる群から選択されたいずれかの接続によって基地局制御装置（ＢＳＣ）と連結しているとよく、私設交換機（ＰＢＸ）は、ＬＡＮ接続によって基地局制御装置（ＢＳＣ）と連結しているとよい。
【００２４】
【発明の実施の形態】
以下、本発明の好ましい一実施例を添付図面を参照しつつ詳細に説明する。図面中、同一の構成要素には同一番号及び符号を共通使用する。なお、周知技術については適宜説明を省略するものとする。
【００２５】
図２は、本発明の一実施例によるＰＬＭＮ及び私設無線網統合サービス網のシステム構成図である。本発明のＰＬＭＮは、図１に示したＰＬＭＮと同様に、ＭＳＣ２０２、ＢＳＣ２００、ＢＴＳ２０６〜２０８及びＭＳ２１０から構成されている。ＢＳＣ２００は、図１に示したＰＬＭＮのＢＳＣと類似形態のハードウェア構成を有するが、本発明によるＰＬＭＮ及び私設無線網統合サービスに好適なように構成されている。つまり、図１のようにＰＬＭＮ１０２と分離した別のシステムを採用せず、相互に同一のハードウェア形態及び類似する機能を持つ既存のＰＬＭＮ１０２のＢＳＣ１２４と私設無線網のｐＢＳＣ１１０とを一つに統合したＰＬＭＮ及び私設無線網統合サービスシステムであるＢＳＣ２００を用いて、新規のＰＬＭＮ及び私設無線網統合サービス網を構成する。したがって、私設無線網を構成するｐＢＳＣ１１０は省略され、このｐＢＳＣと連動していたＰＢＸはＢＳＣ２００と連動する構造を持つことになる。図２に示した網はＰＬＭＮの機能を有し、公衆データサービス網(ＰＤＳＮ：Public Data Service Network)２０４にＢＳＣ２００を通じて連結する構造を有する。また、図２に示した網は、ＰＢＸ２１２による私設ボイス網、イントラネット(Interanet)２１６のような私設データ網と連結する構造を有する。このような構成によってＰＬＭＮ網は、上位ＢＳＳ網に従属することなくいずれの網にも連結することができるようになる。さらに、私設区域２２０のＰＢＸ２１２はＰＳＴＮ２１４と連結し、イントラネット２１６はインターネット２１８と連結する。
【００２６】
ＢＳＣ２００は、ＣＤＭＡ(Code Division Mutiple Access)システムにおける一例であって、ハードウェア構成そのものは図１に示したＰＬＭＮ１０２のＢＳＣと類似形態を有する。また、ＢＳＣ２００は、制御ボード(CONTROAL BOARD)２２２、トランスコーダ及びＭＳＣリンクインターフェースボード(TRANSCODER/MSC LINK INTERFACE BOARD)２２４、２２６、無線パケット(インターフェースボード(RADIO PACKET INTERFACE BOARD)２２８、２３０、ＢＴＳリンクインターフェースボード(BTS LINK INTERFACE BOARD)２３２及び内部スイッチ(INNER SWITCH)２３４から構成されている。制御ボード２２２は、音声（voice)呼/データ呼のシグナル及びトラフィック(traffic)状態におけるシグナルを処理するためのボードである。トランスコーダ及びＭＳＣリンクインターフェースボード２２４、２２６はシステム資源であり、内蔵ボコーダ(VOCODER：Voice Coder/decoder)を用いてＢＴＳチャネルとの通信のためにＰＣＭデータをＱＣＥＬＰ(Qualcomm Code-Excited Linear Predictive Coding)データに変換し又はＱＣＥＬＰデータをＰＣＭデータに変換する。また、トランスコーダ及びＭＳＣリンクインターフェースボード２２４、２２６はＭＳＣ２０２との連結のためにＥ１又はＴ１リンク（又は回線）を有し、ＰＢＸ２１２との連結のためにＬＡＮ(Local Area Network)を有する。無線パケットインターフェースボード２２８、２３０はデータサービスのためのシステム資源であって、ＲＬＰ(Radio Link Protocol)機能を実行する。内部スイッチ２３４は制御ボード２２２、トランスコーダ及びＭＳＣリンクインターフェースボード２２４、２２６、無線パケットインターフェースボード２２８、２３０及びＢＴＳリンクインターフェースボード２３２間にＩＰＣ(Inter-processor communications)を提供する。この内部スイッチ２３４はＡＴＭ(Asynchronous Transfer Mode)スイッチ、ＨＤＬＣ(High-level Data Link Control)スイッチなどが使用される。
【００２７】
前述のようにＢＳＣ２００は、図１に示したＰＬＭＮ１０２のＢＳＣと類似形態のハードウェア構成を有するが、この本発明による一実施例ではトランスコーダ及びＭＳＣリンクインターフェースボード２２４をＭＳＣ２０２とＥ１又はＴ１リンクで連結して公衆用に割り当てており、トランスコーダ及びＭＳＣリンクインターフェースボード２２６をＰＢＸ２１２とＬＡＮ(Local Area Network)で連結してローカル用に割り当てた点で図１と異なる。これにより公衆用トランスコーダ及びＭＳＣリンクインターフェースボード２２４はＢＳＣ２００とＭＳＣ２０２との間にインターフェースを提供し、ローカル用トランスコーダ及びＭＳＣリンクインターフェースボード２２６はＢＳＣ２００とＰＢＸ２１２との間にインターフェースを提供する。また、ＰＤＳＮ２０４と連結する無線パケットインターフェースボード２２８は公衆用に割り当てられており、イントラネット２１６と連結する無線パケットインターフェースボード２３０はローカル用(又は私設用)に割り当てられている。したがって、無線パケットインターフェースボード２２８はＢＳＣ２００とＰＤＳＮ２０４との間にインターフェースを提供し、無線パケットインターフェースボード２３０はＢＳＣ２００とイントラネット２１６との間にインターフェースを提供する。
【００２８】
制御ボード２２２は、ＢＴＳ２０６〜２０８を通じてＭＳ２１０から公衆網発信呼要求を受けると、ＭＳＣ２０２と連動して発信呼(ＭＳ２１０から発信し、公衆通信網を利用する呼)を処理する。一方、私設網発信呼要求である場合にはＰＢＸ２１２と連動して発信呼(ＭＳ２１０から発信し、私設通信網を利用する呼)を処理する。また、制御ボード２２２は、ＭＳＣ２０２とＰＢＸ２１２からの公衆及び私設網着信呼(公衆網及び私設網をそれぞれ利用するＭＳ２１０に対する呼)処理要求をＭＳ２１０のＢＴＳ２０６〜２０８を通じてそれぞれ処理し、ＭＳＣ２０２とＰＢＸ２１２からの公衆及び私設網着信呼要求をＰＤＳＮ２０４とイントラネット２１６を通じてそれぞれ処理する。
【００２９】
図３は、本発明の原理に基づいた図２の制御ボード２２２の詳細構成図である。呼処理のためにＢＳＣ２００の制御ボード２２２には、図１に示したＰＬＭＮのＢＳＣ構成と異なり、２種類のソフトウェア、つまり公衆網呼処理のためのソフトウェアである公衆呼処理モジュール(PUBLIC CALL PROCESS MODULE)３０２と私設網呼処理のためのソフトウェアである私設呼処理モジュール(PRIVATE CALL PROCESS MODULE)３０４が共存する。公衆呼処理モジュール３０２は、ＭＳＣ２０２と連動して公衆網発信呼及び公衆網着信呼を処理すると共にＰＤＳＮ２０４を通じたデータ呼を処理する。一方、私設呼処理モジュール３０４は、私設ＭＳＣモジュール(PRIVATE MSC MODULE)３０６を通じてＰＢＸ２１２と連動し私設網発信呼及び私設網着信呼を処理すると共にイントラネット２１６を通じたデータ呼を処理する。私設呼処理を行う私設ＨＬＲ(PRIVATE HLR MODULE)３０８は私設無線網加入者情報を管理し、私設ＭＳＣモジュール３０６は私設ＨＬＲ３０８と連結して私設呼処理モジュール３０４とＰＢＸ２１２間の連動を提供する。また、メッセージルーチングモジュール(MESSAGE ROUTING MODULE)３００は、公衆呼処理モジュール３０２、私設呼処理モジュール３０４及び私設ＨＬＲ３０８と連結し、ＢＴＳ２０６〜２０８を経たＭＳ２１０からの公衆網発信呼又はＭＳ２１０への公衆網着信呼を公衆呼処理モジュール３０２を通じてルーチング処理し、ＭＳ２１０からの私設網発信呼又はＭＳ２１０への私設網着信呼を私設呼処理モジュール３０４を通じてルーチング処理する。なお、メッセージルーチングモジュール３００はＰＤＳＮ２０４又はイントラネット２１６を通じたデータサービスのためのデータ呼もルーチング処理する。
【００３０】
次に、メッセージルーチングモジュール３００におけるＭＳ２１０からの発信呼又はＭＳ２１０に対する着信呼処理をＳ４００〜Ｓ４１０段階で示した図４、公衆呼処理モジュール３０２におけるＭＳ２１０からの発信呼又はＭＳ２１０に対する着信呼処理をＳ５００〜Ｓ５０６段階で示した図５、私設呼処理モジュール３０４におけるＭＳ２１０からの発信呼又はＭＳ２１０に対する着信呼処理をＳ６００〜Ｓ６０６段階で示した図６のそれぞれを参照して本発明の一実施例による呼処理を説明する。まず、図４を参照すると、メッセージルーチングモジュール３００は、ＭＳＣ２０２から公衆網着信呼要求を受信すると(Ｓ４００: RECEIVE CALL PROCESS REQUEST、Ｓ４０２: ORIGINATING CALL PROCESS REQUEST OR TERMINATING CALL PROCESS REQUEST?→TERMINATING CALL PROCESS REQUEST)、これに応答してＢＴＳ２０６〜２０８を通じＭＳ２１０に着信呼処理を行う(Ｓ４１０: PROCESS TERMINATING CALL THROUGH BTS)。一方、ＭＳ２１０から公衆網発信呼要求を受信すると(Ｓ４００、Ｓ４０２→ORIGINATING CALL PROCESS REQUEST、Ｓ４０４: PUBLIC NETWORK ORIGINATING CALL PROCESS REQUEST OR PRIVATE NETWORK ORIGINATING CALL PROCESS REQUEST?→PUBLIC NETWORK ORIGINATING CALL PROCESS REQUEST)、受信した呼処理要求を公衆呼処理モジュール３０２に伝達する(Ｓ４０６: TRANSFER TO PUBLIC CALL PROCESS MODULE)。このようにしてメッセージルーチングモジュール３００から呼処理要求を受信すると(図５のＳ５００: RECEIVE CALL PROCESS REQUEST、Ｓ５０２: PUBLIC NETWORK TERMINATING CALL PROCESS REQUEST OR PUBLIC NETWORK ORIGINATING CALL PROCESS REQUEST?→PUBLIC NETWORK ORIGINATING CALL PROCESS REQUEST)、公衆呼処理モジュール３０２はこれに応答してＭＳＣ２０２と連動し公衆網発信呼処理を行う(Ｓ５０６: PROCESS PUBLIC NETWORK ORIGINATING CALL REQUEST BY INTERWORKING WITH MSC)。また、メッセージルーチングモジュール３００は、ＭＳ２１０から私設網発信呼要求を受信すると、これに応答して私設ＨＬＲ３０８の情報及び発信番号を分析した後(図４のＳ４００、Ｓ４０２、Ｓ４０４→PRIVATE NETWORK ORIGINATING CALL PROCESS REQUEST)、受信した呼処理要求を私設呼処理モジュール３０４に伝達する(Ｓ４０８: TRANSFER TO PRIVATE CALL PROCESS MODULE)。
【００３１】
このようにしてメッセージルーチングモジュール３００から私設網発信呼処理要求を受信すると(図６のＳ６００: RECEIVE CALL PROCESS REQUEST、Ｓ６０２: PRIVATE NETWORK TERMINATING CALL PROCESS REQUEST OR PRIVATE NETWORK ORIGINATING CALL PROCESS REQUEST?→PRIVATE NETWORK ORIGINATING CALL PROCESS REQUEST)、私設呼処理モジュール３０４はこれに応答してＰＢＸ２１２と連動し私設網発信呼処理を行う（Ｓ６０６: PROCESS PRIVATE NETWORK ORIGINATING CALL BY INTERWORKING WITH PBX）。
【００３２】
また、公衆呼処理モジュール３０２は、ＭＳＣ２０２から公衆網着信呼要求を受信すると(図５のＳ５００、Ｓ５０２→PUBLIC NETWORK TERMINATING CALL PROCESS REQUEST)、これに応答してＢＴＳ２０６〜２０８と連動しＭＳ２１０に公衆網着信呼処理を行う(Ｓ５０４: PROCESS PUBLIC NETWORK TERMINATING CALL THROUGH BTS)。一方、私設呼処理モジュール３０４はＰＢＸ２１２から私設網着信呼要求を受信すると(図６のＳ６００、Ｓ６０２→PRIVATE NETWORK TERMINATING CALL PROCESS REQUEST)、これに応答してＢＴＳ２０６〜２０８と連動しＭＳ２１０に私設網着信呼処理を行う（６０４: PROCESS PRIVATE NETWORK TERMINATING CALL THROUGH BTS）。
【００３３】
以上では音声呼について詳細に説明してきたが、本発明は音声呼に限定されるものではなくデータ呼を含むこともできる。例えば、私設網発信データ呼はＭＳ２１０がイントラネット２１６に設定する呼であって、こうした私設網発信データ呼があるとＢＳＣ２００はイントラネット２１６と連動し、私設無線網を用いてＭＳ２１０をイントラネット２１６と連結する。一方、公衆網発信データ呼はＭＳ２１０がＰＤＳＮ２０４に設定する呼であって、このような公衆網発信データ呼があるとＢＳＣ２００はＰＤＳＮ２０４と連動し、公衆無線網を用いてＭＳ２１０をＰＤＳＮ２０４と連結する。また、私設網着信データ呼は目的地であるＭＳ２１０に対する呼であって、この呼はＢＳＣ２００とイントラネット２１６の連動を必要とするので私設通信網だけを使用する。一方、公衆網着信データ呼は目的地であるＭＳ２１０に対する呼であって、この呼はＰＤＳＮ２０４とＭＳ２１０間の通信のためにＢＳＣ２００とＰＤＳＮ２０４との連動を必要とするので公衆通信網だけを使用する。
【００３４】
【発明の効果】
以上説明したように、本発明によれば、相互類似のハードウェア形態を有し、類似機能を備えた通常のＰＬＭＮのＢＳＣシステムと私設無線網のｐＢＳＣシステムとを一つに統合したシステムを用いるので、上位のＢＳＳ網に従属することなくいずれの網に対しても連結可能な統合サービス網を構成することができるようになる。また、ＢＳＣがｐＢＳＣ機能を兼ね備えることで、網管理を円滑に行うことができるようになる。
【００３５】
なお、以上の説明では具体的な一実施例を挙げて説明したが、本発明の範囲内で様々な変形が可能できることは勿論である。特に、ＰＤＳＮ２０４とイントラネット２１６を通じたデータサービスを行う場合に本発明の一実施例を適用した例を示したが、これは省略されてもよい。したがって、本発明の範囲は前述した一実施例によって定められものではなく、特許請求の範囲とそれに均等なものによって定められるべきである。
【図面の簡単な説明】
【図１】  通常の公衆移動通信網と有無線私設交換網との連動サービス網を示す構成図。
【図２】  本発明の好ましい一実施例による公衆移動通信網及び私設無線網統合サービス網とそのシステム構成図。
【図３】  本発明の好ましい一実施例による図２の制御部２２２構成を示す図。
【図４】  本発明の好ましい一実施例による図２のメッセージルーチングモジュール３００における呼処理のフローチャート。
【図５】  本発明の好ましい一実施例による図２の公衆呼処理モジュール３０２における呼処理のフローチャート。
【図６】  本発明の好ましい一実施例による図２の私設呼処理モジュール３０４における呼処理のフローチャート。
【図１】
0003844730.tif 000002
【図２】
0003844730.tif 000003
【図３】
0003844730.tif 000004
【図４】
0003844730.tif 000005
【図５】
0003844730.tif 000006
【図６】
0003844730.tif 000007